(57)【特許請求の範囲】
【請求項１】
便器本体と、該便器本体の上部に設けられて機能部が載置されるベースプレートと、前記機能部を収容するように上側から前記ベースプレートを覆うカバーと、を有する便器装置において、
前記カバーは、前記ベースプレートよりも前記便器本体の便鉢側において前記ベースプレートよりも下側に突出する突出部を有し、
前記突出部における前記便鉢を臨む面は、前記便鉢の内面のうちの前記突出部と隣り合う部分と略連続または略面一となるように配置されていることを特徴とする便器装置。
【請求項２】
便器本体と、該便器本体の上部に設けられて機能部が載置されるベースプレートと、前記機能部を収容するように上側から前記ベースプレートを覆うカバーと、を有する便器装置において、
前記便器本体は、便鉢と、前記便鉢に隣接し前記ベースプレートが設けられるベースプレート設置部と、を有し、
前記カバーは、前記ベースプレート設置部の上方に位置し、
前記機能部の上側を覆う上板部と、
前記上板部の便鉢側の縁部から下側に突出し前記機能部の前記便鉢側を覆う前板部と、
前記前板部の下縁部から前記便鉢側に突出する下板部と、
前記下板部の前記便鉢側の縁部から下側に突出する突出部と、を有し、
前記突出部は、前記ベースプレートよりも前記便鉢側において前記ベースプレートよりも下側に突出していることを特徴とする便器装置。
【請求項３】
前記便器本体には、前記便鉢と連通し前記便器本体の上端面よりも下側に凹んだ凹部が形成されていて、
該凹部には、前記ベースプレートが配置されている請求項１または２に記載の便器装置。
【請求項４】
前記便器本体と前記ベースプレートとの隙間にパッキンが設けられていて、
該パッキンの前記便鉢側に前記突出部が配置されている請求項１乃至３のいずれか一項に記載の便器装置。
【請求項５】
前記機能部は、前記便鉢を臨む位置にシャッタを有する局部洗浄装置を有し、
前記突出部には、前記シャッタが配置される切欠き部が形成されている請求項１乃至４のいずれか一項に記載の便器装置。
【発明の詳細な説明】
【技術分野】
【０００１】
本発明は、便器装置に関する。
【背景技術】
【０００２】
便器本体と、便器本体の上部に設けられ局部洗浄装置、脱臭装置などの各種機能装置や機能部品などの機能部が載置されるベースプレートと、機能部を上側から覆うカバーと、を有する便器装置が知られている（例えば、特許文献１参照）。このような便器装置では、便器本体の上端面に沿ってベースプレートが設けられ、その上部に機能部を収容するようにカバーが設けられている。
【先行技術文献】
【特許文献】
【０００３】
【特許文献１】特開２００３−１０５８３０号公報
【発明の概要】
【発明が解決しようとする課題】
【０００４】
しかしながら、便器本体とベースプレートとの間に隙間が生じてしまうと、この隙間に便鉢からの飛沫が浸入してしまうため、清掃に手間がかかるという問題がある。これに対し、便器本体とベースプレートとの隙間にパッキンを設けて隙間への飛沫の浸入を防止することが行われている。このような場合においてもパッキンに便鉢からの飛沫が付着してしまうため、パッキンに付着した飛沫を清掃しなくてはならず、清掃に手間がかかるという問題がある。
【０００５】
本発明は、上述する問題点に鑑みてなされたもので、清掃を容易に行うことができる便器装置を提供することを目的とする。
【課題を解決するための手段】
【０００６】
上記目的を達成するため、本発明に係る便器装置は、便器本体と、該便器本体の上部に設けられて機能部が載置されるベースプレートと、前記機能部を収容するように上側から前記ベースプレートを覆うカバーと、を有する便器装置において、前記カバーは、前記ベースプレートよりも前記便器本体の便鉢側において前記ベースプレートよりも下側に突出する突出部を有し、前記突出部における前記便鉢を臨む面は、前記便鉢の内面のうちの前記突出部と隣り合う部分と略連続または略面一となるように配置されていることを特徴とする。
本発明に係る便器装置は、便器本体と、該便器本体の上部に設けられて機能部が載置されるベースプレートと、前記機能部を収容するように上側から前記ベースプレートを覆うカバーと、を有する便器装置において、前記便器本体は、便鉢と、前記便鉢に隣接し前記ベースプレートが設けられるベースプレート設置部と、を有し、前記カバーは、前記ベースプレート設置部の上方に位置し、前記機能部の上側を覆う上板部と、前記上板部の便鉢側の縁部から下側に突出し前記機能部の前記便鉢側を覆う前板部と、前記前板部の下縁部から前記便鉢側に突出する下板部と、前記下板部の前記便鉢側の縁部から下側に突出する突出部と、を有し、前記突出部は、前記ベースプレートよりも前記便鉢側において前記ベースプレートよりも下側に突出していることを特徴とする。
【０００７】
本発明では、カバーは、ベースプレートよりも便器本体の便鉢側に突出し、更にベースプレートよりも下側に突出する突出部を有することにより、ベースプレートと便器本体との隙間の便鉢側に突出部が位置する。このため、突出部によって便器本体とベースプレートとの隙間に便鉢からの飛沫が浸入することを防止できる。その結果、清掃を容易に行うことができる。
【０００８】
また、本発明に係る便器装置では、前記便器本体には、前記便鉢と連通し前記便器本体の上端面よりも下側に凹んだ凹部が形成されていて、該凹部には、前記ベースプレートが配置されていてもよい。
このような構成とすることにより、ベースプレートが便器本体の上端面に載置される場合と比べて、ベースプレートを低い位置に設置することができる。このため、ベースプレート、機能部およびカバーの設置位置を低くすることができ、コンパクトなデザインの便器装置を実現することができる。
また、このような構成とすることにより、ベースプレートが便器本体の上端面に載置される場合と比べて、便器本体とベースプレートとの隙間の位置が低くなるため、便鉢からの飛沫が浸入しやすくなる。しかしながら、ベースプレートと便器本体との隙間の便鉢側に突出部が配置されているため、便器本体とベースプレートとの隙間の位置が低くなっても、突出部によって便器本体とベースプレートとの隙間に便鉢からの飛沫が浸入することを防止できる。
【０００９】
また、本発明に係る便器装置では、前記便器本体と前記ベースプレートとの隙間にパッキンが設けられていて、該パッキンの前記便鉢側に前記突出部が配置されていることが好ましい。
このような構成とすることにより、突出部およびパッキンによって便器本体とベースプレートとの隙間に便鉢からの飛沫が浸入することをより確実に防止できる。
また、パッキンの便鉢側に突出部が配置されていることにより、突出部によってパッキンに便鉢からの飛沫がかかることを抑えられるため、便鉢からの飛沫によってパッキンが汚れること抑えることができる。
更に、パッキンの便鉢側に突出部が配置されていることにより、使用者からパッキンが見えにくいため、美観性を向上することができる。
【００１０】
また、本発明に係る便器装置では、前記機能部は、前記便鉢を臨む位置にシャッタを有する局部洗浄装置を有し、前記突出部には、前記シャッタが配置される切欠き部が形成されていることが好ましい。
このような構成とすることにより、突出部が局部洗浄装置のシャッタと干渉すること防止できる。
【発明の効果】
【００１１】
本発明によれば、清掃を容易に行うことができる。
【図面の簡単な説明】
【００１２】
【図１】本発明の実施形態による便器装置の一例を示す斜視図である。
【図２】機能部設置スペースを説明する斜視図である。
【図３】ベースプレートおよび機能部を説明する斜視図である。
【図４】カバーを説明する斜視図である。
【図５】図４を上から見た図である。
【図６】カバーを前側から見た図である。
【図７】カバーを下側から見た図である。
【図８】図５のＡ−Ａ線断面図である。
【図９】図５のＢ−Ｂ線断面図である。
【図１０】図５のＣ−Ｃ線断面図である。
【図１１】図５のＤ−Ｄ線断面図である。
【図１２】図３のＥ−Ｅ線断面図で、機能部３を省略した図である。
【発明を実施するための形態】
【００１３】
以下、本発明の実施形態による便器装置について、図１乃至図１２に基づいて説明する。
図１および図２に示すように、本実施形態による便器装置１は、便鉢２１が形成された便器本体２と、便器本体２の上部に設けられて機能部３が載置されるベースプレート４と、機能部３を収容するようにベースプレート４を上側から覆うカバー５と、を有している。また、便器装置１は、便器本体２の上部に設けられて機能部３に回動可能に支持された便座６および便蓋７を有している。
機能部３は、局部洗浄装置３１（図４参照）、脱臭装置、便座６や便蓋７を開閉する開閉装置などの各種機能装置や機能部品などを有している。
ここで、便器装置１の機能部３が設けられている側を前後方向の後側とし、便座６が設けられている側を前後方向の前側とする。また、この前後方向に直交する水平方向を幅方向とし、幅方向の中央部に対して両端部に向かう側を外側とし、両端部に対して中央部に向かう側を内側とする。
【００１４】
図２に示すように、便器本体２には、前側の部分に平面視形状が前後方向に長い略長丸状の便鉢２１が形成され、便鉢２１の後側に機能部３が設置される機能部設置スペース２２（ベースプレート設置部）が形成されている。
機能部設置スペース２２の前側の部分２３は、幅方向の中間部に形成され便器本体２の上端面よりも下側に凹んで、上側および前側に開口する凹部２５が形成されている。凹部２５は、機能部３が設置されていない状態では、便鉢２１と前後方向に連通している。凹部２５の幅方向の両側には便器本体２の上端面が連続している。
機能部設置スペース２２の後側の部分２４は、便器本体２の高さ方向の略全体に形成され、底部が便器本体２の底部と兼ねている。
機能部設置スペース２２の前縁部は、便鉢２１の内面の後部側に沿うように後側に突出するように湾曲している。
【００１５】
図３に示すように、ベースプレート４は、機能部設置スペース２２（図２参照）の上に設けられている。機能部設置スペース２２の前側の部分２３（図２参照）の上に設置されるベースプレート４の前側の部分４１は、幅方向の中間部に位置する内側板部４２と、内側板部４２の幅方向の両側それぞれに連続する一対の外側板部４３，４３と、を有している。
内側板部４２は、機能部設置スペース２２の凹部２５に沿って下側に凹んだ板状に形成されている。一対の外側板部４３，４３は、それぞれ凹部２５の幅方向の両側それぞれに連続する便器本体２の上端面に沿った平板状に形成されている。
一対の外側板部４３，４３の前端部は、内側板部４２の前端部よりも後側に配置されている。
【００１６】
本実施形態では、内側板部４２の前縁部近傍の上側には、局部洗浄装置３１のシャッタ３２が配置されている。シャッタ３２は、板状に形成され幅方向に延びる回動軸を中心に回動可能に構成されている。
本実施形態では、ベースプレート４の前側の部分４１と凹部２５との間にパッキン８（図３および図８乃至図１０参照）が設けられている。
【００１７】
図４乃至７に示すように、カバー５は、機能部３（図４および図５参照）の上側に配置される上板部５１と、上板部５１の後側の縁部から下側に延びる後板部５２と、上板部５１の幅方向の両側の縁部からそれぞれ下側に延びる一対の側板部５３，５３と、後板部５２の幅方向外側の縁部と一対の側板部５３，５３それぞれの後側の縁部とを接続する一対の接続板部５４，５４と、上板部５１の前側の縁部から下側に延びる前板部５５と、一対の接続板部５４，５４および前板部５５の下端部から前側に延びる下板部５６と、下板部５６の前縁部から下側に突出する板状の突出部５７と、を有している。
【００１８】
上板部５１は、平面視における後側の部分５１１が後方に突出するように湾曲する略半円状で、前側の部分５１２が幅方向に長い略長方形状となるように形成されている。上板部５１は、後側の部分５１１が前側の部分５１２よりも幅方向の寸法が大きく形成されていて、後側の部分５１１が前側の部分５１２よりも幅方向の外側に突出している。
一対の接続板部５４，５４は、それぞれ上板部５１の後側の部分５１１の前側の部分５１２よりも幅方向の外側に突出している部分から下側に延びている。
【００１９】
下板部５６は、平面視形状が一対の側板部５３，５３および前板部５５を囲み後方に開口する略Ｃ字形状に形成されている。カバー５が便器本体２およびベースプレート４に対して正位置に配置されると、下板部５６の幅方向の両端部は、便器本体２の幅方向の両端部の略直上に配置されている。下板部５６のうち、前板部５５の下端部から前側に延びる幅方向の中間部分を内側下板部５６１とし、一対の接続板部５４，５４の下端部から前側に延びる幅方向の両端部近傍の部分を一対の外側下板部５６２，５６２とする。
【００２０】
図５および図８に示すように、一対の外側下板部５６２，５６２は、それぞれベースプレート４の一対の外側板部４３，４３の上面を覆っている。一対の外側下板部５６２，５６２の前縁部は、一対の外側板部４３，４３の前縁部よりも前側に配置されている。
一対の外側下板部５６２，５６２の前縁部近傍の下面には、パッキン９，９が設けられている。パッキン９は、一対の外側下板部５６２，５６２と便器本体２の上端面との間に挟まれた状態に配置される。
図５および図９に示すように、内側下板部５６１は、ベースプレート４の内側板部４２（図５参照）の上側に機能部３を収容するように配置されている。内側下板部５６１の前縁部は、ベースプレート４の内側板部４２の前縁部および機能部設置スペース２２の前縁部よりもやや前側（便鉢２１側）に配置されている。
【００２１】
図４、図９および図１０に示すように、突出部５７は、内側下板部５６１の前縁部から下側に突出していて、ベースプレート４の内側板部４２の前端部の前側に配置されている。突出部５７には、幅方向の中間部に局部洗浄装置３１のシャッタ３２を露出させる切欠き部５７１が形成されている。シャッタ３２が閉まった状態となると、シャッタ３２の前面と突出部５７の前面とは、略連続または略面一となるように配置されている。
図１１に示すように、突出部５７は、切欠き部５７１が形成されている部分よりも幅方向の外側の部分５７２が前後方向に対向するベースプレート４の内側板部４２の前端部よりも下側に延びていて、ベースプレート４と機能部設置スペース２２の前側の部分２３との隙間２３１，２３１（図１１および図１２参照）を前側から隠している。
また、突出部５７の前面は、便鉢２１の内面のうち突出部５７と幅方向に隣り合う部分２１ａ（図４参照）と略連続または略面一となるように配置されている。
【００２２】
次に、上述した便器装置の作用・効果について図面を用いて説明する。
上述した本実施形態による便器装置１では、カバー５は、ベースプレート４よりも便器本体２の前側（便鉢２１側）に突出し、更に便器本体２の上端面よりも下側に突出する突出部５７を有することにより、ベースプレート４と便器本体２との隙間の前側に突出部５７が配置される。このため、突出部５７によって便器本体２とベースプレート４との隙間に便鉢２１らの飛沫が浸入することを防止できる。その結果、清掃を容易に行うことができる。
【００２３】
また、便器本体２には、便鉢２１と連通し便器本体２の上端面よりも下側に凹んだ凹部２５が形成されていて、凹部２５には、ベースプレート４が配置されていることにより、ベースプレート４が便器本体２の上端面に載置される場合と比べて、ベースプレート４を低い位置に設置することができる。このため、ベースプレート４、機能部３およびカバー５の設置位置を低くすることができ、コンパクトなデザインの便器装置１を実現することができる。
また、このような構成とすることにより、ベースプレート４が便器本体２の上端面に載置される場合と比べて、便器本体２とベースプレート４との隙間の位置が低くなるため、便鉢２１からの飛沫が浸入しやすくなる。しかしながら、ベースプレート４と便器本体２との隙間の前側に突出部５７が配置されているため、便器本体２とベースプレート４との隙間の位置が低くなっても、突出部５７によって便器本体２とベースプレート４との隙間に便鉢２１からの飛沫が浸入することを防止できる。
【００２４】
また、便器本体２とベースプレート４との隙間にパッキン９が設けられていて、パッキン９の前側に突出部５７が配置されていることにより、突出部５７およびパッキン９によって便器本体２とベースプレート４との隙間に便鉢２１からの飛沫が浸入することをより確実に防止できる。
また、パッキン９の前側に突出部５７が配置されていることにより、突出部５７によってパッキン９に便鉢２１からの飛沫がかかることを抑えられるため、便鉢２１からの飛沫によってパッキン９が汚れること抑えることができる。
更に、パッキン９の前側に突出部５７が配置されていることにより、使用者からパッキン９が見えにくいため、美観性を向上することができる。
【００２５】
また、機能部３は、便鉢２１を臨む位置にシャッタ３２を有する局部洗浄装置３１を有し、突出部５７には、シャッタ３２が配置される切欠き部５７１が形成されていることにより、突出部５７が局部洗浄装置３１のシャッタ３２と干渉すること防止できる。
【００２６】
以上、本発明による便器装置の実施形態について説明したが、本発明は上記の実施形態に限定されるものではなく、その趣旨を逸脱しない範囲で適宜変更可能である。
例えば、上記の実施形態では、便器本体２の機能部設置スペース２２には凹部２５が形成されていて凹部２５にベースプレート４および機能部３が配置されているが、機能部設置スペース２２に凹部が形成されておらず平坦面に形成されていてもよい。
また、上記の実施形態では、便器本体２とベースプレート４との隙間にパッキン９が設けられているが、設けられていなくてもよい。またパッキン９の前側に突出部５７が配置されていなくてもよい。
【００２７】
また、上記の実施形態では、機能部３に局部洗浄装置３１が設けられており、突出部５７に局部洗浄装置３１のシャッタ３２が配置される切欠き部５７１が形成されているが、機能部３に局部洗浄装置３１が設けられていなくてもよく、突出部５７にシャッタ３２が配置されるための切欠き部５７１が形成されていなくてもよい。
また、上記の実施形態では、板状に形成された突出部５７が設けられているが、突出部５７の形態は適宜設定されてよい。
また、上記の実施形態では、カバー５の一対の外側板部４３，４３と便器本体２の上端面の間にパッキン８が設けられているが、パッキン８が設けられていなくてもよい。
【符号の説明】
【００２８】
１  便器装置
２  便器本体
３  機能部
４  ベースプレート
５  カバー
９  パッキン
２１  便鉢
２２  機能部設置スペース（ベースプレート設置部）
２５  凹部
３１  局部洗浄装置
３２  シャッタ
５７  突出部
５７１  切欠き部
【図１】
0006654493.tif 000002
【図２】
0006654493.tif 000003
【図３】
0006654493.tif 000004
【図４】
0006654493.tif 000005
【図５】
0006654493.tif 000006
【図６】
0006654493.tif 000007
【図７】
0006654493.tif 000008
【図８】
0006654493.tif 000009
【図９】
0006654493.tif 000010
【図１０】
0006654493.tif 000011
【図１１】
0006654493.tif 000012
【図１２】
0006654493.tif 000013